(57)【要約】【課題】  ドラムや振動板などの部品を大型化せずに、高度な楽曲の演奏を実現するオルゴール装置を提供することにある。【解決手段】  駆動源と、前記駆動源からの駆動力により回転するとともに、楽曲に合わせて植設されたピンを有する駆動ドラム３と、前記楽曲に合わせて調律され前記駆動ドラム３のピンに弾かれて発音する櫛歯状の振動弁７を有する駆動側振動板５と、前記駆動ドラム３の駆動力が伝達されて回転するとともに、前記楽曲に合わせて植設されたピンを有する従動ドラム４と、前記楽曲に合わせて調律され前記従動ドラム４のピンに弾かれて発音する櫛歯状の振動弁８を有する従動側振動板６と、前記駆動ドラム３と前記駆動側振動板５とを含む駆動オルゴール部１と、前記従動ドラム４と前記従動側振動板６とを含む従動オルゴール部２とを備え、前記駆動オルゴール部１と前記従動オルゴール部２とが同期駆動されて前記楽曲を演奏することを特徴とするオルゴール装置３０。【選択図】図１
0003121459.tif 000002
【実用新案登録請求の範囲】
【請求項１】
駆動源と、
前記駆動源からの駆動力により回転するとともに、楽曲に合わせて植設されたピンを有する駆動ドラムと、
前記楽曲に合わせて調律され前記駆動ドラムのピンに弾かれて発音する櫛歯状の振動弁を有する駆動側振動板と、
前記駆動ドラムの駆動力が伝達されて回転するとともに、前記楽曲に合わせて植設されたピンを有する従動ドラムと、
前記楽曲に合わせて調律され前記従動ドラムのピンに弾かれて発音する櫛歯状の振動弁を有する従動側振動板と、
前記駆動ドラムと前記駆動側振動板とを含む駆動オルゴール部と、
前記従動ドラムと前記従動側振動板とを含む従動オルゴール部と、を備え、
前記駆動オルゴール部と前記従動オルゴール部とが同期駆動されて前記楽曲を演奏することを特徴とするオルゴール装置。
【請求項２】
前記駆動オルゴール部と前記従動オルゴール部との間に、これらの演奏の同期ズレを調整する同期調整機構を備えることを特徴とする請求項１記載のオルゴール装置。
【請求項３】
前記駆動ドラムと一体回転する駆動ドラム歯車と、
前記従動ドラムと一体回転する従動ドラム歯車と、
前記駆動ドラム歯車と噛合う駆動伝達歯車と、
前記従動ドラム歯車と噛合う従動伝達歯車と、
前記駆動伝達歯車と前記従動伝達歯車とが両端に装着されて、これらと一体に回転する伝達軸と、
前記伝達軸の一端側を定位置で支承する固定支承部と、
前記伝達軸の他端側の支承位置を変位可能に支承する可変支承部と、を備え、
可変支承部は、前記他端側の支承位置を前記駆動ドラム歯車と前記駆動伝達歯車との噛合い、または、前記従動ドラム歯車と前記従動伝達歯車との噛合いが進む方向または遅れる方向に変位させることを特徴とする請求項１記載のオルゴール装置。
【考案の詳細な説明】
【考案の詳細な説明】
【技術分野】
【０００１】  本考案は、ドラムにより振動板を弾いて楽曲を演奏するオルゴール装置に関する。
【背景技術】
【０００２】  従来からドラムで振動板を弾き楽曲の演奏をするオルゴール装置は、楽曲に対応した一対のドラムと振動板と、オルゴールを駆動させる駆動源と、その駆動源の速度を調整する調速機構をフレームに固定して構成されており、ドラムに設けられた複数のピンが、振動板に設けられた複数の振動弁を弾くことで発音する。そして、ドラムに設けられた複数のピンと、複数の振動弁との係合位置や、振動弁の厚さ等をオルゴール装置の演奏の音量やリズムが最適となるように調整して、楽曲の演奏を実現する構成となっている。
【考案が解決しようとする課題】
【０００３】  しかしながら、上記のようなオルゴール装置において、広い音域を含む複雑で高度な楽曲の演奏を実現する為には、ドラムのピンの数と、それに対応する振動弁の数を増やさなければならず、それに伴い、ドラムや振動板などの部品が長くなり大型化してしまう。このような、大型の部品を用いるオルゴール装置では、部品加工や組み立ての難易度が増し手間がかかってしまう。またコストも嵩んでしまう。
【０００４】  一方、１つの楽曲をいくつかの演奏パートに分けて、各々のパートの演奏を担当する複数のオルゴールを用意して、これらの複数のオルゴールを同期させて合奏すれば、ドラムや振動板などの部品を大型化せずに広い音域を含む複雑な楽曲の演奏ができる。しかしながら、その複数のオルゴールの同期合わせをするには、各々のパートの演奏を担当する複数のオルゴールの音を耳で聞き分け、楽曲における演奏位置を判断して細かな微調整をする非常に困難な作業が必要となる。さらに、各々のパートの演奏を担当する複数のオルゴールを駆動させるため、これら複数のオルゴールを、一度に同時に演奏させる為の構成も必要である。またオルゴールの台数に応じてゼンマイや調速器などが必要で、部品点数が増しコストが増加してしまうという問題があった。
【０００５】  そこで本考案は、このような点に鑑みてなされたものであり、その目的は、ドラムや振動板などの部品を大型化せずに、高度な楽曲の演奏を実現するオルゴール装置を提供することにある。
【課題を解決する為の手段】
【０００６】以上のような課題を解決するために、本考案は、以下のものを提供する。
【０００７】  （１）駆動源と、前記駆動源からの駆動力により回転するとともに、楽曲に合わせて植設されたピンを有する駆動ドラムと、前記楽曲に合わせて調律され前記駆動ドラムのピンに弾かれて発音する櫛歯状の振動弁を有する駆動側振動板と、前記駆動ドラムの駆動力が伝達されて回転するとともに、前記楽曲に合わせて植設されたピンを有する従動ドラムと、前記楽曲に合わせて調律され前記従動ドラムのピンに弾かれて発音する櫛歯状の振動弁を有する従動側振動板と、前記駆動ドラムと前記駆動側振動板とを含む駆動オルゴール部と、前記従動ドラムと前記従動側振動板とを含む従動オルゴール部と、を備え、前記駆動オルゴール部と前記従動オルゴール部とが同期駆動されて前記楽曲を演奏することを特徴とするオルゴール装置。
【０００８】  本考案によれば、駆動オルゴール部と、この駆動オルゴール部の駆動ドラムの駆動力が伝達されて回転する従動オルゴール部とを設け、両オルゴール部を同期駆動させて１つの楽曲を演奏するので、ドラムや振動板などの部品を大型化せず、各々のドラムと振動板との噛みあい調整が容易にできる。
【０００９】（２）前記駆動オルゴール部と前記従動オルゴール部との間に、これらの演奏の同期ズレを調整する同期調整機構を備えることを特徴とする（１）のオルゴール装置。
【００１０】  本考案によれば、複数のオルゴール間の演奏同期を調整する同期調整機構を備えることとしたので、同時に複数のオルゴール間の演奏同期合わせをすることができる。
【００１１】（３）前記駆動ドラムと一体回転する駆動ドラム歯車と、前記従動ドラムと一体回転する従動ドラム歯車と、前記駆動ドラム歯車と噛合う駆動伝達歯車と、前記従動ドラム歯車と噛合う従動伝達歯車と、前記駆動伝達歯車と前記従動伝達歯車とが両端に装着されて、これらと一体に回転する伝達軸と、前記伝達軸の一端側を定位置で支承する固定支承部と、前記伝達軸の他端側の支承位置を変位可能に支承する可変支承部とを備え、可変支承部は、前記他端側の支承位置を前記駆動ドラム歯車と前記駆動伝達歯車との噛合い、または、前記従動ドラム歯車と前記従動伝達歯車との噛合いが進む方向または遅れる方向に変位させることを特徴とする（１）のオルゴール装置。
【００１２】  本考案によれば、可変支承部を変位させることによって、駆動ドラム歯車と駆動伝達歯車との噛合い、または、従動ドラム歯車と従動伝達歯車との噛合いをずらし、駆動ドラム側の駆動オルゴールの位相に対して従動ドラム側の従動オルゴールの位相を、または従動オルゴールの位相に対して駆動オルゴールを調整することができる。すなわち、駆動ドラムを有する駆動オルゴールの演奏と従動ドラムを有する従動オルゴールの演奏を、相対的に楽曲の進む方向または遅れる方向に調整して、楽曲の開始と終了及び、その中間の演奏を完全に一致させることができる。
【００１３】  さらに本考案によれば、伝達軸の一端を固定支承部が固定支承して、他端を可変支承部が支承しているので、可変支承部が支承する伝達軸の一端の支承位置のみを調整することにより同期調整をすることができる。また、駆動オルゴール部の有する駆動ドラム歯車と、従動オルゴール部の有する従動ドラム歯車とを連結する伝達軸を用いて、演奏同期合わせをするので、同期合わせのための特別な構成を設ける必要がない。
【考案の効果】
【００１４】  本考案によれば、駆動オルゴール部と、従動オルゴール部とを簡単な機構によって同期させて、１つの楽曲を演奏させるようにしたので、加工や組み立てが煩雑となる大型のドラムや振動板などの大型の部品や、複数のオルゴール部を一度に同時に駆動させる為の特別な構成を設けることなく、高度な楽曲を演奏するオルゴール装置を実現することができる。
【考案を実施するための最良の形態】
【００１５】  以下、本考案に関するオルゴール装置の最良の形態について、図面を参照しながら説明する。図１〜８は、本考案のオルゴール装置の一実施形態を示す説明図である。【００１６】  ［オルゴール装置の構成］
図１は本考案にかかるオルゴール装置の一実施形態を示す平面図である。図２は図１のオルゴール装置の正面図である。図３は図１のオルゴール装置の側面図である。また、図４は、図１のオルゴール装置の裏面図である。【００１７】  本実施形態にかかるオルゴール装置３０は、図１及び図２示すように、駆動オルゴール部１と従動オルゴール部２と、伝達機構１０を固定板９に一体に固定して構成されている。【００１８】  駆動オルゴール部１は、駆動ドラム３と、駆動側振動板５と、駆動機構を構成するゼンマイ１３と、ゼンマイケース１３ａと、ストッパ１４と、調速器１５と、増速歯車輪列１５ａと、巻鍵１６とよりなる。【００１９】  駆動ドラム３は、その一方側に駆動ドラム歯車１１を取付けており、駆動機構からの駆動力を受けて、駆動ドラム歯車１１と一体回転する。また駆動ドラム３の表面には、図示しない複数のピンが楽曲と対応するように所定の演奏パートに従って植設されている。【００２０】  駆動側振動板５は、所定の楽曲に合わせて調律された複数の櫛歯状の各弾性片である駆動側振動弁７を有し、駆動ドラム３に植設された図示しない複数のピンと、駆動側振動弁７の前縁とが係合可能な位置に対峙して配設されている。【００２１】なお、「楽曲にあわせて調律」とは、櫛歯状の各弾性片の櫛歯からなる振動弁の長さ、幅、厚みを変えることで、楽曲を構成する固有の音程を発音するように振動弁等の部品を調整することをいう。【００２２】  駆動源機構を構成するゼンマイ１３は、ゼンマイケース１３ａに一端を係止されて収納されている。ゼンマイ１３は巻鍵１６で巻き上げられて駆動力を蓄積し、この駆動力は増速歯車輪列１５ａを介して調速器１５に伝達される。【００２３】  ストッパ１４は、駆動ドラム３と駆動ドラム歯車１１との一体回転を停止させるものであり、ストッパ１４の先端のカギが駆動ドラム歯車１１の図示しない係合孔に係合すると、駆動ドラム歯車１１及び、駆動ドラム３の回転が停止し、楽曲の演奏を終了させる。【００２４】  従動オルゴール部２は、従動ドラム４と、従動側振動板６と、ダミー部材Ｄよりなり、駆動オルゴール部１の駆動力によって従動する。【００２５】  従動ドラム４は、その一方側に、従動ドラム４と一体回転する従動ドラム歯車１２が取付けられている。また従動ドラム４の表面には、図示しない複数のピンが、所定の楽曲と対応するように、所定の演奏パートに従って植設されている。なお、従動オルゴール部２の演奏パートは、駆動オルゴール部１の演奏パートとは異なるように構成されている。【００２６】  従動側振動板６は、所定の楽曲に合わせて調律された複数の櫛歯状の各弾性片である従動側振動弁８を有し、従動ドラム４に植設された図示しない複数のピンと、これらの従動側振動弁８の前縁とが係合可能な位置に対峙して配設されている。【００２７】  ダミー部材Ｄは、ゼンマイ、ストッパ、調速器よりなる駆動オルゴール部１の駆動機構と同一の外観を有するが、いずれも駆動等が機能しない装飾部材である。このダミー部材Ｄは、駆動オルゴール部１と従動オルゴール部２とを対照的なデザインとして固定板９に並列させるので、これらが１つのオルゴール装置３０としての美観を創出し、その意匠���を高めるという効果を奏する。【００２８】  固定板９は、駆動オルゴール部１と、従動オルゴール部２とを一体固定する平板である。また、固定板９の裏面には、後述する同期調整機構の主要部である伝達機構１０が固定されている。【００２９】  ［伝達機構の構成］
次に、同期調整機構の主要部である伝達機構１０を説明する。伝達機構１０は、伝達軸２０と、駆動伝達歯車２１と、従動伝達歯車２２と、固定支承部２３と、可変支承部２４よりなる。【００３０】  伝達軸２０は、図２に示すように、伝達軸２０の一端側には駆動伝達歯車２１が、他端側には従動伝達歯車２２が取付けられており、伝達軸２０、駆動伝達歯車２１、従動伝達歯車２２は一体回転する。さらに、伝達軸２０の駆動伝達歯車２１側の一端は固定支承部２３に、従動伝達歯車２２側の一端は可変支承部２４に支承されている。【００３１】  駆動伝達歯車２１は、駆動ドラム歯車１１と噛みあっており、駆動源からの駆動力を受けて回転し、さらに伝達軸２０と従動伝達歯車２２に、この駆動力を伝達する。【００３２】  従動伝達歯車２２は、従動ドラム歯車１２と噛みあっており、伝達軸２０により伝達される駆動力を受け、従動ドラム１２歯車と一体に回転する。【００３３】  固定支承部２３は、図４に示すように、伝達軸２０の一端側の位置を固定して支承するように、固定板９の裏面にネジ等で固定されている。なお、固定支承部２３の固定方法は、接着剤等を用いて固定することとしてもよい。【００３４】  可変支承部２４は、ネジＡ及び、ネジＢにより固定板９の裏面に固定されている。可変支承部２４は、ネジＢを取り外された状態で、ネジＡを支点として回動可能であり、その回動により、伝達軸２０の従動伝達歯車２２側の支承位置を可変にして後述する同期調整を可能としている。【００３５】  さらに、可変支承部２４のネジＡと所定の間隔を隔てた位置には、長円形の長孔２４ａが設けられている。この長孔２４ａは、固定板９の裏面に設けられた孔９ａに重なるように位置を合わせて配置されている。この孔９ａは、後述する同期調整で用いられる調整棒２５の突起部２５ａが嵌め込まれるように形成されている。この長孔２４ａは、後述する同期調整行程において、突起部２５ａが孔９ａに嵌め込まれて偏芯回動される調整棒２５に沿って可変支承部２４を変位させる際のガイド孔である。
［駆動作動の説明］【００３６】  まず巻鍵１６を巻き上げると、ゼンマイ１３が巻き上がる。巻鍵１６から手を離すと、ゼンマイ１３に蓄積された駆動力が、増速歯車輪列１５ａを介して調速器１５に伝達され、調速される。この調速器１５に調速された駆動力が、駆動ドラム歯車１１に伝達され、駆動ドラム歯車１１と、駆動ドラム歯車１１が取付けられた駆動ドラム３とが一体回転を始める。さらに、駆動ドラム歯車１１と係合している駆動伝達歯車２１に駆動力が伝達され、回転を始める。【００３７】  次に、駆動伝達歯車２１の回転は、伝達軸２０によって従動伝達歯車２２に伝達され、さらに、従動伝達歯車２２と係合するとともに従動ドラム４に取付けられている従動ドラム歯車１２に伝達されて、従動ドラム４を回転させる。こうして、ゼンマイ１３の駆動力が駆動オルゴール部１から従動オルゴール部２に伝達され、駆動オルゴール部１と従動オルゴール部２がそれぞれのパートの演奏をして、これらの演奏が合わさってオルゴール装置３０が１つの楽曲の演奏をする。
［同期調整の方法］【００３８】  以下に、図５から図８を参照して同期調整の方法を説明する。図５は、本考案の一実施形態における、従動ドラム歯車１２と従動伝達歯車２２が中立位置Ｋにある時の可変支承部２４の位置を示す模式図である。図６は、本考案の一実施形態において、調整棒２５を回転させたときの従動ドラム歯車１２と、従動伝達歯車２２との噛合い及び、可変支承部２４の位置とを示す模式図である。図７は、Ｘ部及びＹ部の要部拡大図を示し、図８は、本考案における調整棒２５を示し、（ａ）は正面図、（ｂ）は側面図、（ｃ）は調整棒２５の突起部２５ａを上から見た図である。なお、図５及び図６に示すネジＢは、便宜上ネジ頭を表示していない。【００３９】    駆動オルゴール部１と従動オルゴール部２との同期調整は、オルゴール装置３０の組み立ての際に、駆動オルゴール部１および従動オルゴール部２を駆動させながら伝達機構１０を調整して行われる。【００４０】  同期調整の行程に用いられる調整棒２５は、図８に示すように主軸の上部に、調整操作者が把持可能な調整把持部２６を有している。主軸の把持部２６側とは反対側の一端には、突起部２５ａが形成されている。突起部２５ａは、図８（ｃ）に示すように、その中心点が主軸の中心軸に対し偏芯しているので、突起部２５ａを孔９ａにはめ込み、主軸の先端を長孔２４ａの内周に沿わせて回転させると、調整棒２５は偏芯回転する。【００４１】  まず仮組み立てでは、駆動ドラム３及び、従動ドラム４を楽曲の所定の演奏パートのスタート地点に合わせておく。そして次の調整を行う。ここで駆動ドラム３及び従動ドラム４の演奏パートのスタート地点とは、駆動ドラム３が一回転して所定の演奏パートの演奏を終え、駆動ドラム３に植設された複数のピンの並びが途切れる区間または従動ドラム４が一回転して所定の演奏パートの演奏を終え、従動ドラム４に植設された複数のピンの並びが途切れる区間のことをいう。または、駆動ドラム３及び従動ドラム４のそれぞれにこのスタート地点の印が付されているものもある。この位置では、各々のドラムに植設された複数のピンと振動弁とが噛み合うことがなくなるので、各々のドラムが楽曲の進む方向に回転して２回目以降の演奏を開始するまでの一定時間、オルゴール装置３０は発音しない。なお、このスタート位置合わせは、目視で判断可能な範囲でよく、その位置に若干のズレが生じていてよい。【００４２】  次に、図５に示すように、調整棒２５を、突起部２５ａを孔９ａに嵌め込み、調整棒２５の主軸が、長孔２４ａの内周に接するようにして挿入する。そして握持部２６を握持して、回転させると、調整棒２５は、主軸の中心点と突起２５ａの中心点とが偏芯しているため、突起２５ａが嵌合する孔９ａを支点として、長孔２４ａの内周との接点を往復移動させるように偏芯回転する。【００４３】  なお、このとき可変支承部２４は、ネジＢによる固定が外されているか、又は緩められているので、ネジＡのみで固定板９に仮留めされている状態である。そのため、調整棒２５を図４に示す矢印Ｓ方向に回転させると、可変支承部２４はねじＡを支点に回転し、調整棒２５の回動に伴って矢印Ｌ方向に変位する。同時に、伝達軸２０が、固定支承部２３���支点として矢印Ｌ方向に移動し、この伝達軸２０の移動に追従して、従動伝達歯車２２の位置がずれる。【００４４】  図６に示すように、従動ドラム歯車１２は、従動伝達歯車２２との噛み合い歯を変えることなく矢印Ｗ方向に進む。（つまり、従動オルゴール部２のピンと、従動側振動弁８の噛みあいが進む一方、駆動オルゴール部１のピンと、駆動側振動弁７の噛み合いは変化しない。）なお、従動ドラム歯車１２及び従動伝達歯車２２を、矢印Ｗ方向へ進ませる調整がなされる前の時点での位置を中立位置Ｋとして示している。図７に示すＱは、従動ドラム歯車１２が中立位置Ｋから移動した幅を示しており、（Ｘ）は従動ドラム歯車１２が中立位置Ｋにあるときであり、（Ｙ）は従動ドラム歯車１２が中立位置Ｋの位置からＱ幅進んだときを示し、このＱ幅分だけ従動ドラム４のピンと、従動側振動弁８との噛みあい位置がずれて、従動オルゴール部２の楽曲の位相は進むことになる。【００４５】  さらに調整棒２５を回転させ続けると、可変支承部２４は、中立位置Ｋの位置に戻りつつ、同時に伝達軸２０は、矢印Ｒ方向に移動を始めるので、Ｑの幅（すなわち従動伝達歯車２２と、従動ドラム歯車１２の噛みあい位置がずれる幅）はしだいに小さくなり、楽曲の位相は遅れる方向にずれる。なお、図６に示すＱの幅は、調整棒２５を伝達軸２０のＬ方向への移動が最大になる地点まで回転させたときの移動幅であり、楽曲の位相は最大限に進んでいる状態を示している。【００４６】  このように調整棒２５を回転させると、可変支承部２４の移動に伴って伝達軸２０が矢印Ｌ方向から矢印Ｒ方向への往復動をし、同時に従動伝達歯車２２が変位して、これに追従して従動ドラム歯車１２がＱ幅間（楽曲の進む方向、または遅れる方向）を移動する。そして、駆動オルゴール部１の位相に対して、従動オルゴール部２の位相が合うように楽曲の演奏を開始する地点を調整することができる。【００４７】  そして、駆動オルゴール部１と従動オルゴール部２の２つの演奏パートにずれがなく、１つの楽曲を合奏する状態のときに、調整棒２５の回転を止める。最後に、可変支承部２４を仮固定していたネジＡと、その両側に設けられたネジＢを固く締め、固定板９に固定して同期合わせ作業が終了する。なお、この作業は、駆動オルゴール部１と従動オルゴール部２それぞれの担当パートの演奏を耳で聞き分けて、複数の演奏パートが合わさって所定の楽曲を美しく合奏するようになるまで行う。【００４８】  なお、調整棒２５は本実施形態に示す棒形状のものに限られず、可変支承部２４を変位させ、この可変支承部２４に支承されている従動伝達歯車２２をずらすことが出来れば、巻ネジや、ピン状のものでもよい。また、固定支承部２３及び、可変支承部２４を固定板９に取付けるための固定手段は、本実施形態に示すネジ固定に限られず、接着材等を用いて固定してもよい。【００４９】  また、本構成の調整機構１０は、駆動ドラム歯車１１及び駆動伝達歯車２１と、従動ドラム歯車１２及び従動伝達歯車２２のうち、どちらか一方側が固定支承され、もう一方側が可変支承されていればよい。すなわち、駆動伝達歯車２１を移動させて駆動ドラム歯車１１の位相を調整して、駆動オルゴール部１の位相を���従動オルゴール部２の位相に合わせるような同期調整であってもよい。【００５０】  以上説明したように、本形態のオルゴール装置３０では、駆動オルゴール部１と、従動オルゴール部２とを同期させる同期調整機構１０を設け、これらを同期駆動して１つの楽曲を演奏させるので、加工や組み立てが煩雑となる大型のドラムや振動板などの部品や、複数のオルゴール部を一度に同時に駆動させる為の特別な構成を設けることなく、高度な楽曲を演奏するオルゴール装置を実現することができる。【００５１】（実施の形態１の変形例）
上述した実施形態のオルゴール装置３０は、駆動オルゴール部１と従動オルゴール部２の２つのオルゴールを同期駆動して、位相を合わせ、１つの楽曲を合奏させる構成である。しかし、駆動オルゴール部１の駆動力が伝達されて駆動する従動オルゴール部２は、１つに限定されるものではなく、例えば１つの駆動オルゴール部１に対して２つ以上の従動オルゴール部２を連結可能な伝達軸２０及び同期調整機構１０を設けて、同期駆動させるオルゴール装置３０であってもよい。
【図面の簡単な説明】
【００５２】
【図１】  本考案の一実施形態のオルゴール装置を示す平面図である。
【図２】  図１のオルゴール装置の正面図である。
【図３】  図２のオルゴール装置の側面図である。
【図４】  本考案の一実施形態のオルゴール装置を示す裏面図である。
【図５】  本考案の一実施形態において、従動ドラム歯車と従動伝達歯車が中立位置にある時の可変支承部の位置を示す模式図である。
【図６】  本考案の一実施形態において、調整棒を回転させたときの従動ドラム歯車と、従動伝達歯車との噛合い及び、可変支承部の位置を示す模式図である。
【図７】  （Ｘ）  図５におけるＸ部の要部拡大図である。（Ｙ）  図６におけるＹ部の要部拡大図である。
【図８】  （ａ）本考案における調整棒を示す正面図である。（ｂ）  （ａ）の調整棒の側面図である。（ｃ）  （ａ）の調整棒の突起部を上から見た図である。
【符号の説明】
【００５３】  １  駆動オルゴール部
２  従動オルゴール部
３  駆動ドラム
４  従動ドラム
５  駆動振動板
６  従動振動板
７  駆動側振動弁
８  従動側振動弁
９  固定板
９ａ  孔
１０  調整機構
１１  駆動ドラム歯車
１２  従動ドラム歯車
１３  ゼンマイ
１３ａ  ゼンマイケース
１４  ストッパ
１５  調速器
１５ａ  増速歯車輪列
１６  巻鍵
２０  伝達軸
２１  駆動伝達歯車
２２  従動伝達歯車
２３  固定支承部
２４  可変支承部
２４ａ  長孔
２５  調整棒（主軸）
２５ａ  突起
２６  把持部
３０  オルゴール装置
Ｄ  ダミー部材
【図１】
0003121459.tif 000003
【図２】
0003121459.tif 000004
【図３】
0003121459.tif 000005
【図４】
0003121459.tif 000006
【図５】
0003121459.tif 000007
【図６】
0003121459.tif 000008
【図７】
0003121459.tif 000009
【図８】
0003121459.tif 000010